(57)【要約】      （修正有）【課題】着脱しやすく、係止スリーブへの損傷変形を引き起こさず、耐用年数が保証される折り畳み椅子を提供する。【解決手段】屋外用の折り畳み椅子であって、両側のブラケット１、椅子フレーム２および背もたれフレーム３を含み、両側のブラケットは、それぞれ、前部脚部１０１、後部脚部１０２および手すり１０３を含み、椅子フレームの後端と背もたれフレームの下端はヒンジ接続され、かつ両側のブラケット上に接続される。前部脚部、後部脚部の間にはそれぞれ支持部材６が設けられる。支持部材は、クロスバーおよびクロスバーの両端に固定設置された係止スリーブを含み、係止スリーブの全体はＴ字形であり、断面がＵ字形の保持カード、および保持カードの外側板の外側面の中央に垂直に接続された中空スリーブ接続段を含む。スリーブ接続段は、クロスバーの端部にスリーブ接続され、保持カードは対応する前部脚部と後部脚部にスリーブ接続される。【選択図】図１
0003221744.tif 000002
【実用新案登録請求の範囲】
【請求項１】
屋外用の折り畳み椅子であって、両側のブラケット、椅子フレームおよび背もたれフレームを含み、
前記両側のブラケットは、それぞれ、前部脚部、後部脚部および手すりを含み、前記椅子フレームの後端と前記背もたれフレームの下端は、ヒンジ接続され、かつ前記両側のブラケット上に接続され、
前記両側のブラケットの前記前部脚部の間、前記後部脚部の間にそれぞれ支持部材が設けられ、前記支持部材は、クロスバーおよびクロスバーの両端に固定設置された係止スリーブを含み、
前記係止スリーブの全体は、Ｔ字形であり、断面がＵ字形の保持カード、および前記保持カードの外側板の外側面の中央に垂直に接続された中空のスリーブ接続段を含み、
前記スリーブ接続段は、前記クロスバーの端部にスリーブ接続され、前記保持カードは、対応する前記前部脚部および前記後部脚部にスリーブ接続される、ことを特徴とする、
屋外用の折り畳み椅子。
【請求項２】
前記前部脚部の前端面と前記後部脚部の後端面の上に、それぞれ第１位置決めポストが突出して設けられ、
前記保持カードの中側板に第１位置決めポストと係合する第１位置決め溝が設けられる、ことを特徴とする、
請求項１に記載の屋外用の折り畳み椅子。
【請求項３】
前記保持カードの中側板の内側面に第２位置決めポストが突出して設けられ、
前記前部脚部の前端面と前記後部脚部の後端面に、それぞれ第２位置決めポストと係合する第２位置決め溝が設けられる、ことを特徴とする、
請求項１に記載の屋外用の折り畳み椅子。
【請求項４】
前記椅子フレームの前端にフロントクロスバーが設けられ、前記フロントクロスバーの両端に第１クランピングボルトが固定され、
前記椅子フレームは、２つの第１支持バーを含み、
前記椅子フレームの片側の第１支持バーの内側面の前側に、第１クランピングボルトが挿入される第１挿入孔が設けられ、前記椅子フレームの他側の第１支持バーの前端に、第１クランピングボルトが挿入される第１係止口が設けられ、
前記第１係止口の外側に第１金属弾性係止部材が設けられ、前記第１金属弾性係止部材上に第１クランピングボルトを第１係止口内に係止するための第１係止ブロックが設けられる、ことを特徴とする、
請求項１から３の何れか１項に記載の屋外用の折り畳み椅子。
【請求項５】
前記第１係止ブロックの端面に第１指押し面が設けられる、ことを特徴とする、
請求項４に記載の屋外用の折り畳み椅子。
【請求項６】
前記椅子フレームの後端にリアクロスバーが設けられ、前記リアクロスバーの両端に、第２クランピングボルトが固定され、前記椅子フレームは、２つの第１支持バーを含み、
前記椅子フレームの片側の第１支持バーの内側面の前側に、第２クランピングボルトが挿入される第２挿入孔が設けられ、前記椅子フレームの他側の第１支持バーの前端に第２クランピングボルトが挿入される第２係止口が設けられ、
前記第２係止口の外側に第２金属弾性係止部材が設けられ、前記第２金属弾性係止部材上に第２クランピングボルトを第２係止口内に係止するための第２係止ブロックが設けられる、ことを特徴とする、
請求項１から３の何れか１項に記載の屋外用の折り畳み椅子。
【請求項７】
前記第２係止ブロックの端面に第２指押し面が設けられる、ことを特徴とする、
請求項６に記載の屋外用の折り畳み椅子。
【請求項８】
前記背もたれフレームの上端にトップクロスバーが設けられ、前記トップクロスバーの両端に、第３クランピングボルトが固定され、前記背もたれフレームは、２つの第２支持バーを含み、
前記背もたれフレームの片側の第２支持バーの内側面の上側に、第３クランピングボルトが挿入される第３挿入孔が設けられ、前記背もたれフレームの他側の第２支持バーの上端に第３クランピングボルトが挿入される第３係止口が設けられ、
前記第３係止口の外側に第３金属弾性係止部材が設けられ、前記第３金属弾性係止部材上に第３クランピングボルトを第３係止口内に係止するための第３係止ブロックが設けられる、ことを特徴とする、
請求項１から３の何れか１項に記載の屋外用の折り畳み椅子。
【請求項９】
前記第３係止ブロックの端面に第３指押し面が設けられる、ことを特徴とする、
請求項８に記載の屋外用の折り畳み椅子。
【考案の詳細な説明】
【技術分野】
【０００１】
本考案は、椅子の技術分野、特に屋外用の折り畳み椅子に関する。
【背景技術】
【０００２】
現在、市販されている折り畳み椅子の折り畳み構造は比較的複雑であり、折り畳みを実現するためには椅子本体からいくつかの部品を取り外す必要があり、操作しにくい。
【０００３】
特許文献１は、屋外用の折り畳み椅子を開示し、両側のブラケット、椅子フレームおよび背もたれフレームを含み、両側のブラケットはそれぞれ、前部脚部、後部脚部および手すりを含む。椅子フレームの後端と背もたれフレームの下端は、金属接続部材によって移動可能に接続され、かつ両側のブラケットの後部脚部に接続される。椅子フレームおよび背もたれフレームには、半取り外し可能なクロスバーが設けられる。半取り外し可能なクロスバーの一端は、椅子フレーム、背もたれフレームの片側の支持バーに移動可能に接続され、他端には、椅子フレームに係止される金属係止バーが設けられる。背もたれフレームの他側の支持バーの前端に係止口内の金属弾性シートが設けられる。両側のブラケットの前部脚部の間、後部脚部の間にそれぞれ取り外し可能な支持部材または折り畳み支持部材が設けられる。両側のブラケットの前部脚部の前端面と後部脚部の後端面にそれぞれ位置決めポストが設けられる。取り外し可能な支持部材は、クロスバーおよびクロスバーにリベット止めされた位置決めバーを含み、位置決めバーに位置決めポストと係合された位置決め孔が設けられる。実際に使用するとき、その上の位置決め孔が位置決めポストの外側に嵌着されるように位置決めロッドを引っ張る必要があり、取り外し可能な支持部材と前部脚部および後部脚部との固定接続が達成される。しかしながら、実際の使用中に、位置決めバーを引っ張ってそれを位置決めポストと係合させるのは面倒であり、長期間の着脱中に、位置決めバーとクロスバーとの接続部が変形し、緩み、寿命が短くなるように可能性がある。
【先行技術文献】
【特許文献】
【０００４】
【特許文献１】中国実用新案第２０８０６４８８８号明細書
【考案の概要】
【考案が解決しようとする課題】
【０００５】
本考案は、上記問題を解決するために、屋外用の折り畳み椅子を提供する。
【課題を解決するための手段】
【０００６】
本考案の上記技術的目的は、以下の技術的解決手段によって実現される。
【０００７】
屋外用の折り畳み椅子であって、両側のブラケット、椅子フレームおよび背もたれフレームを含み、
前記両側のブラケットは、それぞれ、前部脚部、後部脚部および手すりを含み、前記椅子フレームの後端と前記背もたれフレームの下端は、ヒンジ接続され、かつ前記両側のブラケット上に接続され、
前記両側のブラケットの前記前部脚部の間、前記後部脚部の間にそれぞれ支持部材が設けられ、前記支持部材は、クロスバーおよびクロスバーの両端に固定設置された係止スリーブを含み、
前記係止スリーブの全体は、Ｔ字形であり、断面がＵ字形の保持カード、および前記保持カードの外側板の外側面の中央に垂直に接続された中空のスリーブ接続段を含み、
前記スリーブ接続段は、前記クロスバーの端部にスリーブ接続され、前記保持カードは、対応する前記前部脚部および前記後部脚部にスリーブ接続される。
【０００８】
本考案の改良として、前記前部脚部の前端面と前記後部脚部の後端面の上に、それぞれ第１位置決めポストが突出して設けられ、
前記保持カードの中側板に第１位置決めポストと係合する第１位置決め溝が設けられる。
【０００９】
上記解決手段により、前部脚部と後部脚部での係止スリーブのスライドが防止され、前部脚部と後部脚部に対する支持部材の安定支持が保証される。
【００１０】
本考案の改良として、前記保持カードの中側板の内側面に第２位置決めポストが突出して設けられ、
前記前部脚部の前端面と前記後部脚部の後端面に、それぞれ第２位置決めポストと係合する第２位置決め溝が設けられる。
【００１１】
上記解決手段により、前部脚部と後部脚部での係止スリーブのスライドが防止され、前部脚部と後部脚部に対する支持部材の安定支持が保証される。
【００１２】
本考案の改良として、前記椅子フレームの前端にフロントクロスバーが設けられ、前記フロントクロスバーの両端に第１クランピングボルトが固定され、
前記椅子フレームは、２つの第１支持バーを含み、
前記椅子フレームの片側の第１支持バーの内側面の前側に、第１クランピングボルトが挿入される第１挿入孔が設けられ、前記椅子フレームの他側の第１支持バーの前端に、第１クランピングボルトが挿入される第１係止口が設けられ、
前記第１係止口の外側に第１金属弾性係止部材が設けられ、前記第１金属弾性係止部材上に第１クランピングボルトを第１係止口内に係止するための第１係止ブロックが設けられる。
【００１３】
上記解決手段により、フロントクロスバーと椅子フレームの前端との迅速な着脱を実現することができる。
【００１４】
本考案の改良として、前記第１係止ブロックの端面に第１指押し面が設けられる。
【００１５】
上記解決手段により、第１クランピングボルトを第１係止口に挿入させるように、使用者が第１金属弾性係止部材を押しやすい。
【００１６】
本考案の改良として、前記椅子フレームの後端にリアクロスバーが設けられ、前記リアクロスバーの両端に、第２クランピングボルトが固定され、前記椅子フレームは、２つの第１支持バーを含み、
前記椅子フレームの片側の第１支持バーの内側面の前側に、第２クランピングボルトが挿入される第２挿入孔が設けられ、前記椅子フレームの他側の第１支持バーの前端に第２クランピングボルトが挿入される第２係止口が設けられ、
前記第２係止口の外側に第２金属弾性係止部材が設けられ、前記第２金属弾性係止部材上に第２クランピングボルトを第２係止口内に係止するための第２係止ブロックが設けられる。
【００１７】
上記解決手段により、リアクロスバーと椅子フレームの後端との迅速な着脱を実現することができる。
【００１８】
本考案の改良として、前記第２係止ブロックの端面に第２指押し面が設けられる。
【００１９】
上記解決手段により、第２クランピングボルトを第２係止口に挿入させるように、使用者が第２金属弾性係止部材を押しやすい。
【００２０】
本考案の改良として、前記背もたれフレームの上端にトップクロスバーが設けられ、前記トップクロスバーの両端に、第３クランピングボルトが固定され、前記背もたれフレームは、２つの第２支持バーを含み、
前記背もたれフレームの片側の第２支持バーの内側面の上側に、第３クランピングボルトが挿入される第３挿入孔が設けられ、前記背もたれフレームの他側の第２支持バーの上端に第３クランピングボルトが挿入される第３係止口が設けられ、
前記第３係止口の外側に第３金属弾性係止部材が設けられ、前記第３金属弾性係止部材上に第３クランピングボルトを第３係止口内に係止するための第３係止ブロックが設けられる。
【００２１】
上記解決手段により、トップクロスバーと背もたれフレームの後端との迅速な着脱を実現することができる。
【００２２】
本考案の改良として、前記第３係止ブロックの端面に第３指押し面が設けられる。
【００２３】
上記解決手段により、第３クランピングボルトを第３係止口に挿入させるように、使用者が第３金属弾性係止部材を押しやすい。
【考案の効果】
【００２４】
要約すると、本考案は以下の有益な効果がある。
【００２５】
従来技術における折り畳み椅子と比べて、本考案における屋外用の折り畳み椅子は、クロスバー両端の係止スリーブによって、前部脚部および後部脚部に直接嵌着され、着脱しやすく、係止スリーブへの損傷変形を引き起こさず、折り畳み椅子の耐用年数が保証される。
【図面の簡単な説明】
【００２６】
【図１】実施例１における屋外用の折り畳み椅子の構造概略図である。
【図２】実施例１における椅子フレームとフロントクロスバーとの接続関係の概略図である。
【図３】図２におけるＡの拡大図である。
【図４】図２におけるＢの拡大図である。
【図５】実施例１における第１係止口の構造概略図である。
【図６】実施例１におけるフロントクロスバーと第１係止口との接続関係の概略図である。
【図７】実施例１における椅子フレームとリアクロスバーとの接続関係の概略図である。
【図８】図７におけるＣの拡大図である。
【図９】図７におけるＤの拡大図である。
【図１０】実施例１におけるリアクロスバーと第２係止口との接続関係の概略図である。
【図１１】実施例１における背もたれフレームとトップクロスバーとの接続関係の概略図である。
【図１２】図１１におけるＥの拡大図である。
【図１３】図１１におけるＦの拡大図である。
【図１４】実施例１におけるトップクロスバーと第３係止口との接続関係の概略図である。
【図１５】実施例１における支持部材と前部脚部との接続関係の概略図である。
【図１６】図１５におけるＧの拡大図である。
【図１７】実施例１における支持部材と後部脚部との接続関係の概略図である。
【図１８】図１７におけるＨの拡大図である。
【図１９】実施例１における屋外用の折り畳み椅子の折り畳み状態の概略図である。
【図２０】実施例２における屋外用の折り畳み椅子の構造概略図である。
【図２１】実施例２における支持部材と前部脚部との接続関係の概略図である。
【図２２】実施例２における支持部材と後部脚部との接続関係の概略図である。
【考案を実施するための形態】
【００２７】
以下、図面を参照して本考案をさらに説明する。
【００２８】
（実施例１）
図１および図１９を参照すると、屋外用の折り畳み椅子は、両側のブラケット１、椅子フレーム２および背もたれフレーム３を含み、両側のブラケット１は、それぞれ、前部脚部１０１、後部脚部１０２および手すり１０３を含む。手すり１０３の下端面に第１金属接続部材１０４が溶接され、前部脚部１０１の上端と後部脚部１０２の上端は、第１金属接続部材１０４によって手すり１０３の下端面にヒンジ接続される。椅子フレーム２は、２つの第１支持バー２０１を含む。背もたれフレーム３は、２つの第２支持バー３０１を含み、椅子フレーム２上の第１支持バー２０１の後端と対応する背もたれフレーム３上の第２支持バー３０１の下端は、第二金属接続部材４によってヒンジ接続され、かつ第３金属接続部材５によって両側のブラケット１の後部脚部１０２上にヒンジ接続される。第１金属接続部材１０４の後端は、背もたれフレーム３の第２支持バー３０１上にヒンジ接続され、椅子フレーム２の２つの第１支持バー２０１の間に座布団２０２が嵌着され、背もたれフレーム３の２つの第２支持バー３０１の間に背もたれ布団３０２が嵌着される。
【００２９】
図２、図３、図４、図５および図６を参照すると、椅子フレーム２の前端にフロントクロスバー２０３が設けられ、フロントクロスバー２０３の両端に第１、第２クランピングボルト２０４がネジ接続される。椅子フレーム２の片側の第１支持バー２０１の内側面の前側に、第１挿入孔２０５が設けられ、椅子フレーム２の他側の第１支持バー２０１の前端に第１係止口２０６が設けられる。フロントクロスバー２０３の一端の第１、第２クランピングボルト２０４は、第１係止口２０６に挿入され、第１係止口２０６の外側はボルトによって位置決め第１金属弾性係止部材２０７が固定される。第１金属弾性係止部材２０７上に第１、第２クランピングボルト２０４を第１係止口２０６内に係止するための第１係止ブロック２０８が設けられ、かつ第１係止ブロック２０８の端面に、使用者が第１金属弾性係止部材２０７を押しやすくするための第１、第２指押し面２０９が設けられる。
【００３０】
図７、図８、図９および図１０を参照すると、椅子フレーム２の後端にリアクロスバー２１０が設けられ、リアクロスバー２１０の両端に第２クランピングボルト２１１がネジ接続される。椅子フレーム２の片側の第１支持バー２０１の内側面の後側に第２挿入孔２１２が設けられ、椅子フレーム２の他側の第１支持バー２０１の後端に第２係止口２１３が設けられる。リアクロスバー２１０の一端の第２クランピングボルト２１１が第２挿入孔２１２に挿入され、リアクロスバー２１０の他端の第２クランピングボルト２１１が第２係止口２１３に挿入される。第２係止口２１３の外側はボルトによって位置決め第２金属弾性係止部材２１４が固定される。第２金属弾性係止部材２１４上に第２クランピングボルト２１１を第２係止口２１３内に係止するための第２係止ブロック２１５が設けられ、かつ第２係止ブロック２１５の端面に使用者が第２金属弾性係止部材２１４を押しやすくするための第２指押し面２０９が設けられる。
【００３１】
図１１、図１２、図１３および図１４を参照すると、背もたれフレーム３の上端にトップクロスバー３０３が設けられ、トップクロスバー３０３の両端に第３クランピングボルト３０４がネジ接続される。背もたれフレーム３の片側の第２支持バー３０１の内側面の上側に第３挿入孔３０５が設けられ、背もたれフレーム３の他側の第２支持バー３０１の上端に第３係止口３０６が設けられる。トップクロスバー３０３の一端の第３クランピングボルト３０４が第３挿入孔３０５に挿入され、トップクロスバー３０３の他端の第３クランピングボルト３０４が第３係止口３０６に挿入される。第３係止口３０６の外側は、ボルトによって位置決め第３金属弾性係止部材３０７が固定される。第３金属弾性係止部材３０７上に第３クランピングボルト３０４を第３係止口３０６内に係止するための第３係止ブロック３０８が設けられ、かつ第３係止ブロック３０８の端面に使用者が第３金属弾性係止部材３０８を押しやすくするための第３指押し面３０９が設けられる。
【００３２】
図１５、図１６、図１７および図１８を参照すると、両側のブラケット１の前部脚部１０１の間、後部脚部１０２の間にそれぞれ取り外し可能な支持部材６が設けられる。支持部材６は、クロスバー６０１およびクロスバー６０１の両側に固定接続された係止スリーブ６０２を含む。係止スリーブ６０２の全体はＴ字形であり、断面がＵ字形の保持カード６０３、および保持カード６０３の外側板の外側面の中央に垂直に接続された中空スリーブ接続段６０４を含む。スリーブ接続段６０４は、クロスバー６０１の端部にスリーブ接続され、かつボルトによって固定接続される。保持カード６０３は、前部脚部１０１および後部脚部１０２にスリーブ接続される。係止スリーブ６０２が前部脚部１０１および後部脚部１０２上でスライドすることを回避するために、前部脚部１０１の前端面および後部脚部１０２の後端面上に、それぞれ第１位置決めポスト１０５が設けられる。保持カード６０３の中側板上に、第１位置決めポスト１０５と係合するための第１位置決め溝６０５が設けられる。
【００３３】
（実施例２）
図２０、図２１および図２２を参照すると、屋外用の折り畳み椅子は、実施例１と相違し、係止スリーブ６０２が前部脚部１０１および後部脚部１０２上でスライドすることを回避するために、保持カード６０３の中側板の内側面上に第２位置決めポスト６０６が突出して設けられる。前部脚部１０１の前端面および後部脚部１０２の後端面上に、それぞれ第２位置決めポスト６０６と係合するための第２位置決め溝１０６が設けられる。
【００３４】
本具体的な実施例は、単に考案の説明であり、それは考案を限定するものではなく、当業者は、本明細書を読んだ後に必要に応じて本実施例に創造的な貢献なしに変更を加えるが、本実用新案請求の範囲内にあれば、いずれも実用新案法によって保護される。
【符号の説明】
【００３５】
１  両側のブラケット、１０１  前部脚部、１０２  後部脚部、１０３  手すり、１０４  第１金属接続部材、１０５  第１位置決めポスト、１０６  第２位置決め溝、２  椅子フレーム、２０１  第１支持バー、２０２  座布団、２０３  フロントクロスバー、２０４  第１クランピングボルト、２０５  第１挿入孔、２０６  第１係止口、２０７  第１金属弾性係止部材、２０８  第１係止ブロック、２０９  第１指押し面、２１０  リアクロスバー、２１１  第２クランピングボルト、２１２  第２挿入孔、２１３  第２係止口、２１４  第２金属弾性係止部材、２１５  第２係止ブロック、２１６  第２指押し面、３  背もたれフレーム、３０１  第２支持バー、３０２  背もたれ布団、３０３  トップクロスバー、３０４  第３クランピングボルト、３０５  第３挿入孔、３０６  第３係止口、３０７  第３金属弾性係止部材、３０８  第３係止ブロック、３０９  第３指押し面、４  第２金属接続部材、５  第３金属接続部材、６  支持部材、６０１  クロスバー、６０２  係止スリーブ、６０３  保持カード、６０４  スリーブ接続段、６０５  第１位置決め溝、６０６  第２位置決めポスト。
【図１】
0003221744.tif 000003
【図２】
0003221744.tif 000004
【図３】
0003221744.tif 000005
【図４】
0003221744.tif 000006
【図５】
0003221744.tif 000007
【図６】
0003221744.tif 000008
【図７】
0003221744.tif 000009
【図８】
0003221744.tif 000010
【図９】
0003221744.tif 000011
【図１０】
0003221744.tif 000012
【図１１】
0003221744.tif 000013
【図１２】
0003221744.tif 000014
【図１３】
0003221744.tif 000015
【図１４】
0003221744.tif 000016
【図１５】
0003221744.tif 000017
【図１６】
0003221744.tif 000018
【図１７】
0003221744.tif 000019
【図１８】
0003221744.tif 000020
【図１９】
0003221744.tif 000021
【図２０】
0003221744.tif 000022
【図２１】
0003221744.tif 000023
【図２２】
0003221744.tif 000024